(57)【要約】【課題】  不必要に個人の情報が外部に漏れないＩＣタグを用いた物品の探索システムを提供する。【解決手段】  自転車の販売店でＩＣタグを取り付け、リーダライタを用いて、ＩＣタグに自転車を特定する情報（たとえばＩＤ番号）を書き込む（Ｓ１１）。管理センタでは、データベースにＩＣタグを特定する情報以外に自転車の所有者に関するデータを登録する（Ｓ１２）。自転車が盗難に遭うと、リーダライタを用いて盗難自転車を捜索するが、そのとき、リーダライタは自転車のＩＤ番号のみを記録して自転車の捜索を行う。【選択図】      図５
2005242509.tif 000002
【特許請求の範囲】
【請求項１】
物品に取付けられるＩＣタグであって、
前記ＩＣタグは、前記物品を特定するデータを含み、前記データは一度記録されると変更できない、ＩＣタグ。
【請求項２】
前記ＩＣタグは自転車に取付けられる、請求項１に記載のＩＣタグ。
【請求項３】
物品に取付けられ、当該物品を特定するデータを記録するＩＣタグを含み、
前記ＩＣタグは、記録されたデータの消去または変更が不可能であり、
前記ＩＣタグのデータを読取り、所定のデータ格納部を有するリーダライタと、
前記ＩＣタグを特定するデータおよび前記物品の所有者に関するデータを登録するデータベースを有する管理センタとを含み、
前記物品が盗難に遭ったとき、前記データベースにその旨が登録され、
前記リーダライタは、前記データベースから盗難に遭った物品に取付けられたＩＣタグを特定するデータのみを格納し、
前記リーダライタを用いて、前記ＩＣタグを有する物品を探索する、ＩＣタグを用いた物品探索システム。
【請求項４】
前記リーダライタおよび前記管理センタとを接続するネットワークを含み、前記ＩＣタグへの記録されたデータは前記リーダライタを用いて、前記ネットワークを介して前記管理センタのデータベースに登録される、請求項３に記載のＩＣタグを用いた物品探索システム。
【請求項５】
前記物品は自転車である、請求項３または４に記載のＩＣタグを用いた物品探索システム。
【発明の詳細な説明】
【技術分野】
【０００１】
この発明は、ＩＣタグおよびＩＣタグを用いた物品探索システムに関し、特に、不正使用されないＩＣタグおよびＩＣタグを用いた物品探索システムに関する。
【背景技術】
【０００２】
従来のＩＣタグを用いた自転車盗難防止システムが、たとえば、特開２００３−３０６１８６号公報（特許文献１）に開示されている。同公報によれば、自転車購入時に所定のデータが記録されたＩＤタグを自転車に取付け、そのデータを盗難防止のために警察等の所定の機関に登録する。
【特許文献１】特開２００３−３０６１８６号公報（図１およびそれに関連する記載）
【発明の開示】
【発明が解決しようとする課題】
【０００３】
従来の、ＩＤタグを用いた自転車の盗難防止システムは上記のように構成されていた。ＩＤタグに書き込まれる情報は、書込、消去することのできない情報と、書込、消去可能な情報を含み、防犯登録番号や利用者番号は一度書込まれると消去できない情報であり、自転車の所有者、その住所、電話番号等の情報は書込、消去が可能であった（特許文献１、段落番号００４２）。
【０００４】
このように、所有者の情報を書込、消去可能とすると、自転車を盗んだ後でそのＩＤタグの内容を消去し、自分のデータに書き換えられると、その所有者に連絡しても、元の所有者に戻らないという問題があった。
【０００５】
この発明は、上記のような問題点を解消するためになされたもので、盗難に遭った自転車のような物品が、確実に元の所有者に戻りうる物品に取付けられるＩＣタグ、および不必要に個人の情報が外部に漏れないＩＣタグを用いた物品の探索システムを提供することを目的とする。
【課題を解決するための手段】
【０００６】
この発明に係る物品に取付けられるＩＣタグは、物品を特定するデータを含み、データは一度記録されると変更できない。
【０００７】
好ましくは、ＩＣタグは自転車に取付けられる。
【０００８】
この発明の他の局面においては、ＩＣタグを用いた物品探索システムは、物品に取付けられ、当該物品を特定するデータを記録するＩＣタグを含み、ＩＣタグは、記録されたデータの消去または変更が不可能であり、ＩＣタグのデータを読取り、所定のデータ格納部を有するリーダライタと、ＩＣタグを特定するデータおよび物品の所有者に関するデータを登録するデータベースを有する管理センタとを含み、物品が盗難に遭ったとき、データベースにその旨が登録され、リーダライタは、データベースから盗難に遭った物品に取付けられたＩＣタグを特定するデータのみを格納し、リーダライタを用いて、ＩＣタグを有する物品を探索する。
【０００９】
好ましくは、リーダライタおよび管理センタとを接続するネットワークを含み、ＩＣタグへの記録されたデータはリーダライタを用いて、ネットワークを介して管理センタのデータベースに登録される。
【００１０】
さらに好ましくは、物品は自転車である。
【発明の効果】
【００１１】
物品に取付けられるＩＣタグは、一度データが記録されると変更できないため、物品が盗難にあっても、ＩＣタグのデータは書き換えられない。その結果、盗難に遭った物品が見つかれば、必ず元の所有者に変換される。
【００１２】
この発明の他の局面においては、ＩＣタグは、記録されたデータの消去または変更が不可能であり、ＩＣタグを特定するデータとそれが取付けられた物品の所有者に関するデータはデータベースに登録され、物品が盗難に遭ったときは、その旨がデータベースに登録され、リーダライタを用いて、ＩＣタグを取付けた物品を探索する。
【００１３】
リーダライタは、データベースから盗難に遭った物品に取付けられたＩＣタグを特定するデータのみを格納するため、不必要な個人の情報が外部に漏れることはない。
【００１４】
また、リーダライタが盗難に遭っても、そこからプライバシーが外部に漏れることはない。
【発明を実施するための最良の形態】
【００１５】
以下、この発明の実施の形態を図面を参照して説明する。図１は、この発明の一実施の形態に係るＩＣタグ１０を自転車２０に取付けた状態を示す模式図である。図１を参照して、自転車２０のフレームの一部にＩＣタグ１０を取付ける。
【００１６】
図２はＩＣタグ１０の要部を示すブロック図である。図２を参照して、この発明の実施の形態に係るＩＣタグ１０は、データを記憶する記憶領域１１を含む。このＩＣタグ１０の記憶領域１１はデータが一度記録されるデータの消去や書き換えできない。
【００１７】
したがって、自転車２０を窃盗した人が、自分の自転車にするために、ＩＣタグの防犯登録のデータを後に説明するリーダライタを用いて変えようとしても不可能である。
【００１８】
その結果、窃盗にあった自転車はリーダライタによって検出されると、確実に元の持ち主に戻る。
【００１９】
次に、リーダライタについて説明する。図３は、ＩＣタグ１０にデータを書込んだり、ＩＣタグ１０からデータを読出す携帯型のリーダライタ３０のブロック図である。
【００２０】
図３を参照して、リーダライタ３０は、ループアンテナ３１と、表示部３２と、情報を記憶する記憶部３３と、リーダライタ３０にデータを入力するデータ入力部３４と、ＩＣタグ１０からデータを読出すデータ読出し部３５と、データをネットワーク７０（図４参照）を介して送受信する送受信部３６とを含む。リーダライタ３０は、ループアンテナ３１を用いて電磁誘導又は電磁結合によって非接触でＩＣタグに記録されたデータの送受信が可能である。また、ＩＣタグ１０は自転車２０の任意の場所に取り付けることができる。
【００２１】
次に、上記ＩＣタグ１０、リーダライタ３０を用いた自転車盗難防止システムについて説明する。図４はこの実施の形態の自転車盗難防止システムの全体構成を示すブロック図であり、図５は自転車盗難防止システムの動作を説明するフローチャートである。図４を参照して、自転車盗難防止システムは、自転車２０を販売し、ユーザーからの依頼を受けて自転車２０にＩＣタグ１０を取り付け、ＩＣタグ１０に自転車２０を特定する情報（たとえばＩＤ番号）を書き込むリーダライタ３０を備える販売店２５と、自転車２０が盗難に遭ったとき、盗難届を受理し、盗難自転車の捜査を行う警察署６０と、ＩＣタグ１０が取り付けられた自転車２０を特定する情報およびそれに関連する自転車２０の所有者に関する情報を記憶するデータベース５１を有する管理センタ５０とから構成される。リーダライタ３０と、データベース５１を有する管理センタ５０と、警察署６０のコンピュータとはインターネットのようなネットワーク７０によって接続されていてもよい。
【００２２】
なお、リーダライタ３０はデータベース５１に接続可能で、データベースから盗難に遭った自転車を特定する情報を読取り可能である。
【００２３】
上記構成の自転車盗難防止システムを用いて、盗難自転車および放置自転車の検出の処理手順について、図５のフローチャートを参照して説明する。
【００２４】
まず、自転車２０の販売店２５でＩＣタグ１０を取り付け、リーダライタ３０を用いて、ＩＣタグ１０にＩＣタグ１０に自転車を特定する情報（たとえばＩＤ番号）を書き込む。この情報は、通信ネットワークを介してデータベース５１に送信し登録する（Ｓ１１）。
【００２５】
ここで、ＩＣタグ１０に書き込む情報を自転車製造段階で製造メーカがリーダライタ３０を用いて自転車２０を特定する情報を書き込んでいる場合は、販売店２５では書き込む必要はない。
【００２６】
管理センタ５０では、データベース５１にＩＣタグ１０を特定する情報以外に自転車の所有者に関連するデータを登録する（Ｓ１２）。
【００２７】
具体的には、データベース５１に登録するデータは、自転車２０の製造番号、製造メーカーコード、色、車種、ＪＩＳ適合の有無、業界適合の有無、製造年月日、出荷年月日、販売先、防犯登録番号、利用者番号、価格、購入者名、住所、電話番号、電子メールアドレス、生年月日、男女の種別、入荷年月日、販売年月日、販売金額、保険会社名、保険番号等がある。これらの情報は販売店２５で購入者に所定の記入用紙を渡し、それに記入してもらって管理センタ５０に送信するようにしてもよい。なお、リーダライタ３０を介して送信するようにしてもよい。
【００２８】
なお、データベース５１に書き込む情報は上記項目に限定されず、自転車２０の所有者に関する情報であればよく、また、これらの情報全てが必要ではなく、適宜選択してもよい。また、自転車の所有者が変更されたときも、変更されたデータのみがデータベース５１で変更される。
【００２９】
なお、上記したように、この実施の形態においては、ＩＣタグ１０に記録された情報は消去または変更ができない。また、追加もできない方が好ましい。
【００３０】
次に、ＩＣタグ１０に書き込んだ情報および所有者の所定の情報のデータベース５１への登録が終了した後、所有者は自転車２０を使用する。ＩＣタグ１０を取り付けた自転車１０を盗まれた場合は、所有者は警察署６０に通報し、盗難届出を行う（Ｓ１３）。その際、この実施の形態の盗難防止システムでは、ＩＣタグ１０がわかれば、その所有者に関する情報がデータベース５１に記録されており、ＩＣタグ１０に関する情報から自転車を特定する情報が照会されるため、盗難届に盗難された自転車２０に関して詳しく記入しなくても、所有者の氏名、住所等を記入すれば盗難された自転車２０を特定することができる。
【００３１】
なお、所有者はＩＤおよびパスワード等を用いてデータベース５１にアクセスし、自分の情報を変更可能としてもよい。また、データベース５１の内容の一部のみをそのようにしてもよい。
【００３２】
次に、盗難届を受理した警察署６０はネットワーク７０を介して盗難届に記入された所有者の氏名、住所等の情報を管理センタ５０に送信する。管理センタ５０では、データベース５１の情報を参照して盗まれた自転車２０を照会し、自転車２０を盗難自転車としてデータベース５１に登録する。
【００３３】
携帯型リーダライタ３０は、データベース５１にアクセスして、盗難自転車のＩＣタグ１０を特定する、たとえば、ＩＤ番号のみをダウンロードすることによって登録する（Ｓ１４）。
【００３４】
このように、リーダライタ３０には、ＩＣタグ１０を特定するＩＤ番号のみをダウンロードするため、リーダライタを用いる人が中のデータにアクセスして、不必要に個人情報が外部に漏れることはない。また、リーダライタ３０自体が盗難に遭っても個人情報が外部に漏れることはない。
【００３５】
なお、盗難された自転車２０を特定する情報をネットワーク７０を介してリーダライタ３０に送信するようにしてもよい。この場合も、盗難自転車のＩＤ番号のみを通知するようにし、個人情報の漏れを防ぐ。リーダライタ３０では、表示部に盗難にあった自転車２０のＩＤ番号を表示可能である。
【００３６】
警察官は、リーダライタ３０を持って、放置自転車のあるところを巡回する（Ｓ１５）。このとき、リーダライタ３０を介して、必要に応じて、データベース５１にアクセスし、所望の情報（自転車の色や車種）を入手可能とすれば、盗難届があった自転車と車種や色が類似する自転車２０や放置されている自転車２０の近くを歩くことによって、より容易に盗難自転車を発見できる。
【００３７】
リーダライタ３０は、警察官が発見した自転車２０が盗難届が提出された自転車２０と一致するか否かを判断し、一致する場合には（Ｓ１６ＹＥＳ）、管理センタ５０へ連絡する。なおここで、一致した場合には警報が発せられるようにしてもよい。
【００３８】
管理センタ５０ではデータベース５１を参照して自転車の所有者にたとえば電子メール等で自転車を発見した旨の通知する（Ｓ１７）。そのとき、管理センタ５０に所定の金額の支払うよう依頼する。これは、管理センタ５０に盗難車管理用のホームページを設け、管理センタ５０からの電子メールに所定の番号を記載し、そのホームページに所有者がアクセスしてその所定の番号を入力し、そこでクレジットカードを用いて支払うようようにしてもよい。また、盗難車発見の通知の書簡に管理センタ５０宛ての郵便局への振込依頼書を同封してもよい。所有者が所定の金額を支払ったことを確認の上、管理センタ５０は、自転車２０の所有者に自転車２０を返却する（Ｓ１８）。
【００３９】
Ｓ１６で発見した自転車２０が盗難自転車ではない場合には、放置自転車（例えば、予め定められた期間放置されている自転車等）であるか否かを判断し（Ｓ１９）、放置自転車である場合には、放置自転車処理のために、放置自転車登録およびカウントアップを行う（Ｓ２０）。すなわち、リーダライタ３０を保持して放置自転車の近くを巡回することにより、そのＩＤ番号を検出し、その番号を記憶部３３に記憶する。そして、カウンタを設定し、初めて検出した自転車であれば、カウンタに１を設定する。その後、巡回ごと（たとえば、１日ごと）にまだその自転車が放置されていれば、カウンタの値を増やしていく。
【００４０】
なお、このカウントデータは、リアルタイムまたは所定の間隔でデータベース５１に送信され、データベース５１で放置自転車の管理を行うようにしてもよい。
【００４１】
このカウンタの値が一定値に達すると（Ｓ２１）、その放置自転車を保管場所に移動する（Ｓ２２）。ここで、リーダライタ３０のカウンタの値は、自転車２０のＩＤ番号を検出すれば自動的にカウントアップするようにしてもよく、この場合、所定の回数にカウントアップすると警報が発せられるようにしてもよい。
【００４２】
放置自転車が保管場所に移動されると、その旨は管理センタ５０に通知される。管理センタ５０は、所有者にその旨の通知を行う（Ｓ１７）。
【００４３】
Ｓ１７において管理センタ５０の行う動作は、上記の盗難自転車の場合と同様であり、所定の支払いがあると、自転車は所有者に返却される（Ｓ１８）。
【００４４】
次にＩＣタグ１０の取付け方法について説明する。図６は、ＩＣタグ１０を自転車２０のフレームに取付ける取付け具を示す図である。図６を参照して、取付け具４０は、本体４１と、本体４１の一方端に取付けられた固定部４２と、他方端側に設けられ、自転車のフレームを一周して固定部４２の所定の穴４２ａに挿入される取付け部４４とを含む。本体４１には、ＩＣタグ１０を挿入するためのＩＣタグ挿入部４３が設けられている。なお、ＩＣタグ１０はＩＣタグ挿入部４３内に取り出し不可能に挿入される。
【００４５】
なお、ＩＣタグ１０は取付け具４０の樹脂成型時にＩＣタグを同時に埋め込むようにしてもよい。
【００４６】
なお、図６では、取付け部４４が２本の例について説明したが、これに限らず、１本でもよいし、３本以上であってもよい。
【００４７】
また、ＩＣタグは粘着テープを用いて自転車のフレーム等に貼り付けてもよい。
【００４８】
また、取付け具４０には、ＩＣタグ１０を特定する番号に対応する番号等をバーコード、または２次元コード等で記録してもよい。そうすれば、ＩＣタグ１０が故障しても自転車の所有者を特定できる。
【００４９】
また、故障対策として、取付け具にＩＣタグを複数取付けてもよい。
【００５０】
なお、上記実施の形態においては、ＩＣタグを自転車の盗難防止に用いた例について説明したが、これに限らず、上記システムを他の一般の物品の管理に利用してもよい。すなわち、カメラや携帯音響機器のような、所有者が簡単にわからないものに同様に利用できる。この場合は、リーダライタをＩＣタグに近づけるだけで、その物品の所有者を知ることができる。したがって、電車等における忘れ物の返却にも利用できる。
【００５１】
この場合の処理の流れを図７に示す。図７を参照して、図５と同様に、ＩＣタグ１０を登録し（Ｓ３１）、物品に取付けて関連データを管理センタ５０のデータベース５１に登録する（Ｓ３２）。物品の紛失届があると（Ｓ３３）、その旨を管理センタ５０に届ける。物品が発見されると（Ｓ３４）、そのＩＣタグのデータを読込み、データベース５１を参照して所有者に通知する（Ｓ３５〜Ｓ３７）。この場合も、所有者に所定の料金の支払いを依頼してもよい。
【００５２】
なお、上記システムは、自転車一時預かり業やレンタル自転車等に利用してもよい。
【００５３】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【図面の簡単な説明】
【００５４】
【図１】この発明の一実施の形態に係るＩＣタグの自転車への取付け状態を示す図である。
【図２】ＩＣタグの構成を示す模式図である。
【図３】リーダライタの構成を示すブロック図である。
【図４】リーダライタ、管理センタおよび警察署からなる防犯ネットワークの構成を示すブロック図である。
【図５】ＩＣタグを用いた盗難防止システムの動作手順を示すフローチャートである。
【図６】ＩＣタグを取付ける取付け部材を示す図である。
【図７】ＩＣタグを用いた物品の管理システムの動作手順を示すフローチャートである。
【符号の説明】
【００５５】
１０  ＩＣタグ、１１  記憶領域、２０  自転車、３０  リーダライタ、３１  ループアンテナ、３２  表示部、３３  記憶部、３４  データ入力部、３５  データ読出し部、３６  送受信部、４０  取付け具、４１本体、４２  固定部材、４３  ＩＣタグ挿入部、４４  締付け部材、５０  管理センタ、５１  データベース、６０  警察署、７０  ネットワーク。
【図１】
2005242509.tif 000003
【図２】
2005242509.tif 000004
【図３】
2005242509.tif 000005
【図４】
2005242509.tif 000006
【図５】
2005242509.tif 000007
【図６】
2005242509.tif 000008
【図７】
2005242509.tif 000009